【手続補正書】
【提出日】平成17年3月25日(2005.3.25)
【手続補正１】
【補正対象書類名】明細書
【補正対象項目名】０００３
【補正方法】変更
【補正の内容】
【０００３】
【発明が解決しようとする課題】
しかし近年、環境問題により、従来のフロンの使用が難しくなった。そのため、クリーニング溶剤においても、従来のフロン系溶剤に代替できる環境にやさしいフロン系溶剤を開発する必要が生じている。
【手続補正２】
【補正対象書類名】明細書
【補正対象項目名】０００４
【補正方法】変更
【補正の内容】
【０００４】
本発明の課題は、従来のフロン系溶剤に代わるクリーニング液と、それを用いた効果的なクリーニング方法を提供することである。
【手続補正３】
【補正対象書類名】明細書
【補正対象項目名】０００５
【補正方法】変更
【補正の内容】
【０００５】
【課題を解決するための手段】
以上の課題を解決するため、本発明者等は、環境問題を引き起こすフロン系溶剤に代替できるフロン系溶剤として、2,3-ジヒドロデカフルオロペンタン（2、3-dihydro decafluoro pentane, CF3(CFH)2C2F5）を使用できないかと考えた。しかしこの2,3-ジヒドロデカフルオロペンタンには、グリースのような油脂が溶け難く、また、通常のドライクリーニングに使用されるソープも難溶である。
一方、通常のクリーニングにおいては、洗浄性を高めるためにクリーニング溶剤にドライソープと少量の水を加え、その中に被洗物を入れて洗浄する方法が広く行われているが、2,3-ジヒドロデカフルオロペンタンにおいては、ある程度の水が加わると、溶剤中においてドライソープが固まってしまい、洗浄性を高めることができないことが分かった。そのため、従来のクリーニング方法に対し、2,3-ジヒドロデカフルオロペンタンを溶剤として適用することができなかった。そこで、2,3-ジヒドロデカフルオロペンタンを溶剤として利用できるクリーニング方法の検討を重ねた結果、グリコール類を溶解補助剤として利用すれば、2,3-ジヒドロデカフルオロペンタンにドライソープと水とを混和させることが可能であり、またグリース等の油脂成分に対する洗浄性も向上すること、さらに、被洗物に洗浄液を吹き付けるスプレー式の洗浄方法によれば好適に洗浄できることが分かった。
【手続補正４】
【補正対象書類名】明細書
【補正対象項目名】０００７
【補正方法】変更
【補正の内容】
【０００７】
請求項１に記載の発明によれば、2,3-ジヒドロデカフルオロペンタンにグリコール水溶液を加えることによって、ドライソープと、水と、2,3-ジヒドロデカフルオロペンタンとを混和させることができる。従って、2,3-ジヒドロデカフルオロペンタンを、洗浄性のあるドライクリーニング溶剤として使用することが可能となるので、2,3-ジヒドロデカフルオロペンタンを環境問題原因となるフロン系溶剤の代替として利用できる。
【手続補正５】
【補正対象書類名】明細書
【補正対象項目名】０００９
【補正方法】変更
【補正の内容】
【０００９】
請求項２に記載の発明によれば、2,3-ジヒドロデカフルオロペンタンを、環境問題を引き起こす従来のフロン系溶剤の代替フロン系溶剤として利用でき、また、ジクロロペンタフルオロプロパンは油脂の溶解性がよく、2,3-ジヒドロデカフルオロペンタンと適切に混和するため、より洗浄性が良好となるので好ましい。
【手続補正６】
【補正対象書類名】明細書
【補正対象項目名】００１３
【補正方法】変更
【補正の内容】
【００１３】
請求項５に記載の発明によれば、被洗物を2,3-ジヒドロデカフルオロペンタンに浸した後、2,3-ジヒドロデカフルオロペンタンと、3-メトキシ-3-メチル-1-ブタノール水溶液と、ドライソープとを含有するドライクリーニング液を被洗物に吹き付けることによって、ドライソープを含むクリーニング液を被洗物に浸透させ、その後のドライクリーニング液中での洗浄により、被洗物の汚れを落とすことができる。従って、2,3-ジヒドロデカフルオロペンタンを溶剤として、ドライクリーニングを好適に行うことができるので、2,3-ジヒドロデカフルオロペンタンを従来のフロン系溶剤の代替としてドライクリーニングに利用できる。
【手続補正７】
【補正対象書類名】明細書
【補正対象項目名】００１６
【補正方法】変更
【補正の内容】
【００１６】
請求項７に記載の発明は、被洗物を2,3-ジヒドロデカフルオロペンタンおよびジクロロペンタフルオロプロパンの混合溶液に浸した後、2,3-ジヒドロデカフルオロペンタンおよびジクロロペンタフルオロプロパンの混合溶液と、3-メトキシ-3-メチル-1-ブタノール水溶液と、ドライソープとを含有するドライクリーニング液を、前記被洗物に吹き付け、その後、前記ドライクリーニング液中で被洗物を洗浄することを特徴とするドライクリーニング方法である。
請求項７に記載の発明によれば、2,3-ジヒドロデカフルオロペンタンを環境問題を引き起こすフロン系溶剤の代替フロン系溶剤として使用できるとともに、ジクロロペンタフルオロプロパンを混合することにより、油脂の溶解性が向上し、洗浄性が良好となるので好ましい。
【手続補正８】
【補正対象書類名】明細書
【補正対象項目名】００３５
【補正方法】変更
【補正の内容】
【００３５】
以上の第２の実施の形態のドライクリーニング方法によれば、第１の実施の形態と同様に、2,3-ジヒドロデカフルオロペンタンを環境問題を引き起こすフロン系溶剤に代替可能なフロン系溶剤クリーニング液として使用することができる。また、溶剤として、2,3-ジヒドロデカフルオロペンタンおよびHCFC-225の混合溶液を用いることによって、油脂の溶解性が向上するので、より洗浄性のよいクリーニング液となり、衣類等繊維品の洗浄を好適に行うことができる。
【手続補正９】
【補正対象書類名】明細書
【補正対象項目名】００５３
【補正方法】変更
【補正の内容】
【００５３】
【発明の効果】
請求項１に記載の発明によれば、2,3-ジヒドロデカフルオロペンタンにグリコール水溶液を加えることによって、ドライソープおよび水を、2,3-ジヒドロデカフルオロペンタンに混和させることができる。従って、2,3-ジヒドロデカフルオロペンタンをドライクリーニングの溶剤として使用することが可能となるので、2,3-ジヒドロデカフルオロペンタンを環境問題を引き起こすフロン系溶剤の代替フロン溶剤として利用できる。
【手続補正１０】
【補正対象書類名】明細書
【補正対象項目名】００５６
【補正方法】変更
【補正の内容】
【００５６】
請求項５に記載の発明によれば、被洗物を2,3-ジヒドロデカフルオロペンタンに浸した後、2,3-ジヒドロデカフルオロペンタンと、3-メトキシ-3-メチル-1-ブタノール水溶液と、ドライソープとを含有するドライクリーニング液を被洗物に吹き付けることによって、ドライソープを含むクリーニング液を被洗物に浸透させ、その後のドライクリーニング液中での洗浄により、被洗物の汚れを落とすことができる。従って、2,3-ジヒドロデカフルオロペンタンを溶剤として、ドライクリーニングを好適に行うことができるので、2,3-ジヒドロデカフルオロペンタンを環境問題フロン系溶剤の代替フロン溶剤としてドライクリーニングに利用できる。
尚、請求項６に記載の発明のように、被洗物に請求項５に記載の洗浄を行った後、2,3-ジヒドロデカフルオロペンタンと、ドライソープとを含有するドライクリーニング液により、被洗物に第２の洗浄を実施してもよい。
さらに、請求項７，８に記載のように、2,3-ジヒドロデカフルオロペンタンとジクロロペンタフルオロプロパンとの混合溶液をドライクリーニングの溶剤に使用すれば、油脂の溶解性が向上し、風合い良く仕上げることができるので好ましい。